(57)【特許請求の範囲】
【請求項１】
スパウトと、該スパウトの注出筒内を摺接して昇降可能に内臓する開封用筒体の上端を天板下面に近接して設けるキャップとからなる開封刃内蔵口栓であって、前記スパウトの注出筒の上端の口部の内周側に凹陷部を形成し、前記キャップの天板下面にコンタクトリングと該コンタクトリングの内側に隣接してインナーリングを設け、スパウトにキャップを装着したときに、前記キャップのコンタクトリングが前記スパウトの口部の上面と密接し、且つ、前記キャップのインナーリングが前記スパウトの口部の凹陷部に嵌入して、前記キャップのインナーリングの外周面を前記スパウトの口部の内周面に密接することを特徴とする液体紙容器用口栓。
【発明の詳細な説明】
【０００１】
【発明の属する技術分野】
本発明は、清酒、果汁飲料、調味料、柔軟剤や液体洗剤などに使用する液体紙容器の頂部などに突設されるスパウトとキャップとからなる液体紙容器用口栓に関するものである。
【０００２】
【従来の技術】
従来、液体紙容器（２０）は、例えば図３に示すように、四角柱状の胴部（２１）をもち、その切り妻屋根形の頂部傾斜板（２２）に、使用時の便宜性から、封止と注出のために、スパウト（１００）（注出口具）とそのスパウトに螺着するキャップ（２００）とからなる液体紙容器用口栓（１０）が突設されたものが広く使用されていた。この液体紙容器用口栓は、封止時の容器の密封性を確実にするために、通常では、キャップの天板下面に、スパウトの注出筒の上端の口部の天面と先端を密着するコンタクトリングとスパウトの注出筒の口部の内周面に外周面を密着するインナーリングとを設けていた。
【０００３】
【発明が解決しようとする課題】
しかしながら、上述の従来の液体紙容器用口栓においては、口栓の外径が極めて小さいときや特殊の機能をもたせた口栓においては、インナーリングを設けるスペースがとれない場合があった。特殊の機能をもたせた口栓としては、例えば図４に示す開封刃内蔵口栓がある。この口栓は、下端に開封刃（３１０）を設けた開封用筒体（３００）をスパウト（１００）の注出筒（１１０）に昇降可能に内蔵し、スパウトに螺着したキャップ（２００）を取り外し方向へ回転させたときに、キャップの天板の中央位置に垂設されたガイド用内筒の外周面に設けられた螺旋状の案内斜面と、開封用筒体の内周面に設けられた螺旋状の案内斜面との摺接によって、開封用筒体（３００）を降下させ、この開封用筒体の下端に設けられた開封刃（３１０）で液体用紙容器を封止する封止フィルム（４００）を破断して開口するものであり、図２に示すように、スパウト（１００）の注出筒（１１０）に開封用筒体（３００）が内蔵しているため、インナーリングをキャップ（２００）の天板（２１０）下面に設けることができず、コンタクトリング（２１１）のみで密封していた。このため、流通過程や使用時に横倒ししたときに液漏れ事故を発生することがあった。
【０００４】
本発明は、上述の従来の液体紙容器用口栓の問題を解決したものであり、外径が極めて小さい口栓や特殊の機能をもたせた口栓でも、コンタクトリングとインナーリングとを具備でき、封止時の容器の密封性が確実な液体紙容器用口栓を提供するものである。
【０００５】
【課題を解決するための手段】
すなわち、本発明は、スパウトと、該スパウトの注出筒内を摺接して昇降可能に内臓する開封用筒体の上端を天板下面に近接して設けるキャップとからなる開封刃内蔵口栓であって、前記スパウトの注出筒の上端の口部の内周側に凹陷部を形成し、前記キャップの天板下面にコンタクトリングと該コンタクトリングの内側に隣接してインナーリングを設け、スパウトにキャップを装着したときに、前記キャップのコンタクトリングが前記スパウトの口部の上面と密接し、且つ、前記キャップのインナーリングが前記スパウトの口部の凹陷部に嵌入して、前記キャップのインナーリングの外周面を前記スパウトの口部の内周面に密接することを特徴とする液体紙容器用口栓である。
【０００６】
【作用】
本発明の液体紙容器用口栓は、スパウトの注出筒の上端の口部の内周側に凹陷部を形成し、キャップの天板下面にコンタクトリングとこのコンタクトリングの内側に隣接してインナーリングを設ける構造であり、液体紙容器に突設されたスパウトにキャップを装着したときに、キャップのコンタクトリングがスパウトの口部の上面と密接し、同時にキャップのインナーリングがスパウトの口部の凹陷部に嵌入して、インナーリングの外周面をスパウトの口部の内周面に密接するため、容器の密封性が確実であり、また、コンタクトリングとインナーリングとを構造上から狭いスペースに設けることができる。
【０００７】
【発明の実施の形態】
次に、本発明の液体紙容器用口栓を一実施形態に基いて、図を用いて詳細に説明する。
【０００８】
本実施形態の口栓は、特殊の機能をもたせた開封刃内蔵口栓であり、この口栓（１０）は、図１に示すように、スパウト（１００）とこのスパウトに螺着するキャップ（２００）とからなり、下端に開封刃を設けた開封用筒体（３００）をスパウトの注出筒（１１０）に昇降可能に内蔵し、スパウトに螺着したキャップを取り外し方向へ回転させたときに、キャップの天板（２１０）の中央位置に垂設されたガイド用内筒（２３０）の外周面に設けられた螺旋状の案内斜面（２３１）と、開封用筒体の内周面に設けられた螺旋状の案内斜面（３０１）との摺接によって、開封用筒体（３００）を降下させ、この開封用筒体の下端に設けられた開封刃で液体用紙容器を封止する封止フィルムを破断して開口するものである。
【０００９】
そして、図１に示すように、スパウト（１００）の注出筒（１１０）の上端の口部の内周側に凹陷部（１１１）を形成し、キャップ（２００）の天板（２１０）下面にコンタクトリング（２１１）とこのコンタクトリングの内側に隣接してインナーリング（２１２）を設けるものである。なお、スパウトにキャップを装着したときに、キャップのコンタクトリングがスパウトの口部の上面と密接し、同時にキャップのインナーリングがスパウトの口部の凹陷部に嵌入して、キャップのインナーリングの外周面をスパウトの口部の内周面に密接するものである。また、スパウトとキャップは、ポリエチレン、ポリプロピレンなどの熱可塑性樹脂を用いて射出成形するものである。
【００１０】
また、上述の本実施形態の口栓を頂部に取り付けた液体紙容器は、充填機で酒を充填、密封して通常の流通過程を経てのち、口栓に係わる液漏れの状態を調べてみたが、液漏れは皆無であった。また、キャップを取り外して開封したのち、再度、キャップをスパウトに螺着して再封し、横倒しの状態にしてみたが、液漏れは発生しなかった。
【００１１】
なお、本発明の液体紙容器用口栓は、コンタクトリングとインナーリングとを狭いスペースに設けることができるため、上述の開封刃内蔵口栓のような特殊の機能をもたせた口栓のほかに、外径が極めて小さい口栓などにも適用することができる。
【００１２】
【発明の効果】
本発明の液体紙容器用口栓は、外径が極めて小さくインナーリングを設けにくい口栓や特殊の機能をもたせるためにインナーリングを設けにくい口栓でも、構造上からコンタクトリングとインナーリングとを具備させることができ、液体紙容器に突設されたスパウトにキャップを装着したときに、容器の密封性が確実であり、流通過程や使用時に横倒ししたときに、液漏れ事故を発生することがない。
【図面の簡単な説明】
【図１】本発明の一実施形態の液体紙容器用口栓の密封要部を示す断面図である。
【図２】従来の一例の液体紙容器用口栓の密封要部を示す断面図である。
【図３】口栓を頂部傾斜板に突設させた一例の液体紙容器の斜視図である。
【図４】一例の開封刃内蔵口栓を取り付けた液体紙容器を、キャップを回転して開封したときの状態を示す説明図である。
【符号の説明】
１０……口栓
２０……液体紙容器
２１……胴部
２２……頂部傾斜板
１００……スパウト
１１０……注出筒
１１１……凹陷部
２００……キャップ
２１０……天板
２１１……コンタクトリング
２１２……インナーリング
２２０……周壁
２３０……ガイド用内筒
２３１，３０１……案内斜面
３００……開封用筒体
３１０……開封刃
４００……封止フィルム
【図１】
0003791243.tif 000002
【図２】
0003791243.tif 000003
【図３】
0003791243.tif 000004
【図４】
0003791243.tif 000005